(57)【要約】【課題】ボトムアッシュ搬送装置において、クリンカを原因とする作業負担の増加及びコンベヤの不具合を防止する。【解決手段】上方から落下するボトムアッシュを受けると共に搬送するコンベヤを備えるボトムアッシュ搬送装置であって、コンベヤの上方に配置されると共に、ボトムアッシュを通過させかつボトムアッシュに混ざって落下するクリンカを受け止めるクリンカ除去機構を備える。【選択図】図１
2015148401.tif 000002
【特許請求の範囲】
【請求項１】
上方から落下するボトムアッシュを受けると共に搬送するコンベヤを備えるボトムアッシュ搬送装置であって、
前記コンベヤの上方に配置されると共に、前記ボトムアッシュを通過させかつ前記ボトムアッシュに混ざって落下するクリンカを受け止めるクリンカ除去機構を備えることを特徴とするボトムアッシュ搬送装置。
【請求項２】
前記クリンカ除去機構は、平行に配列されると共に前記クリンカを受け止める複数の櫛歯と、櫛歯同士の間に設けられ前記ボトムアッシュを通過させる隙間とを有する板部材からなることを特徴とする請求項１記載のボトムアッシュ搬送装置。
【請求項３】
前記クリンカ除去機構により受け止められた前記クリンカが供給されると共に前記クリンカの冷却を行う冷却部を備えることを特徴とする請求項１または２記載のボトムアッシュ搬送装置。
【請求項４】
前記冷却部は、
冷却水が貯留された冷却槽と、
前記冷却槽の天井部から散水を行う散水システムと
を備えることを特徴とする請求項３記載のボトムアッシュ搬送装置。
【請求項５】
前記冷却槽は、
開閉扉と、
前記クリンカの冷却中に前記開閉扉をロックするロックシステムと
を備えることを特徴とする請求項４記載のボトムアッシュ搬送装置。
【請求項６】
前記クリンカ除去機構の前記クリンカの受面に対して水を流す水供給部を備えることを特徴とする請求項１〜５いずれか一項に記載のボトムアッシュ搬送装置。
【請求項７】
前記クリンカ除去機構を振動させる振動付与装置を備えることを特徴とする請求項１〜６いずれか一項に記載のボトムアッシュ搬送装置。
【発明の詳細な説明】
【技術分野】
【０００１】
本発明は、ボトムアッシュ搬送装置に関するものである。
【背景技術】
【０００２】
ボイラにおいて発生した灰の一部は、ボトムアッシュとしてボイラの底部から排出される。このボトムアッシュは、セメント等の材料となるものであり、ボイラから排出された後、コンベヤを備えるボトムアッシュ搬送装置によって搬送されて後処理装置等に供給される（例えば、特許文献１及び２参照）。
【先行技術文献】
【特許文献】
【０００３】
【特許文献１】特開平９−７９５６１号公報
【特許文献２】特開２００６−１０５４８５号公報
【発明の概要】
【発明が解決しようとする課題】
【０００４】
ところで、ボイラの内部では、灰が炉壁等に付着し、時間を掛けて塊化することで、ボトムアッシュよりも遥かに粒径が大きなクリンカが発生する。このクリンカは、ボトムアッシュに混ざってボイラから排出される。このようなクリンカは、ボトムアッシュをセメントの材料として用いるときには邪魔なものとなることから、作業者によって取り除かれている。
【０００５】
しかしながら、ボトムアッシュからクリンカを除去する作業は、作業者への負担が大きい。また、クリンカは、コンベヤに落下したときにコンベヤを痛めたり、コンベヤの駆動部が噛みこんでコンベヤが停止したりすることから、コンベヤの不具合の原因となる。
【０００６】
本発明は、上述する問題点に鑑みてなされたもので、ボトムアッシュ搬送装置において、クリンカを原因とする作業負担の増加及びコンベヤの不具合を防止することを目的とする。
【課題を解決するための手段】
【０００７】
本発明は、上記課題を解決するための手段として、以下の構成を採用する。
【０００８】
第１の発明は、上方から落下するボトムアッシュを受けると共に搬送するコンベヤを備えるボトムアッシュ搬送装置であって、上記コンベヤの上方に配置されると共に、上記ボトムアッシュを通過させかつ上記ボトムアッシュに混ざって落下するクリンカを受け止めるクリンカ除去機構を備えるという構成を採用する。
【０００９】
第２の発明は、上記第１の発明において、上記クリンカ除去機構が、平行に配列されると共に上記クリンカを受け止める複数の櫛歯と、櫛歯同士の間に設けられ上記ボトムアッシュを通過させる隙間とを有する板部材からなるという構成を採用する。
【００１０】
第３の発明は、上記第１または第２の発明において、上記クリンカ除去機構により受け止められた上記クリンカが供給されると共に上記クリンカの冷却を行う冷却部を備えるという構成を採用する。
【００１１】
第４の発明は、上記第３の発明において、上記冷却部が、冷却水が貯留された冷却槽と、上記冷却槽の天井部から散水を行う散水システムとを備えるという構成を採用する。
【００１２】
第５の発明は、上記第４の発明において、上記冷却槽が、開閉扉と、上記クリンカの冷却中に上記開閉扉をロックするロックシステムとを備えるという構成を採用する。
【００１３】
第６の発明は、上記第１〜第５いずれかの発明において、上記クリンカ除去機構の上記クリンカの受面に対して水を流す水供給部を備えるという構成を採用する。
【００１４】
第７の発明は、上記第１〜第６いずれかの発明において、上記クリンカ除去機構を振動させる振動付与装置を備えるという構成を採用する。
【発明の効果】
【００１５】
本発明によれば、コンベヤの上方に配置されるクリンカ除去機構が、ボトムアッシュを通過させかつボトムアッシュに混ざって落下するクリンカを受け止める。このため、コンベヤに落下する前にボトムアッシュからクリンカを分離除去することが可能となる。よって、作業者によるボトムアッシュからのクリンカの分離除去作業をなくし、クリンカによるコンベヤの損傷や停止を防止することができる。したがって、本発明によれば、ボトムアッシュ搬送装置において、クリンカを原因とする作業負担の増加及びコンベヤの不具合を防止することが可能となる。
【図面の簡単な説明】
【００１６】
【図１】（ａ）が本発明の一実施形態におけるボトムアッシュ搬送装置の概略構成を示す全体図であり、（ｂ）が本発明の一実施形態におけるボトムアッシュ搬送装置が備えるクリンカ除去板の平面図である。
【図２】本発明の一実施形態におけるボトムアッシュ搬送装置の変形例が備えるクリンカ除去板の平面図である。
【発明を実施するための形態】
【００１７】
以下、図面を参照して、本発明に係るボトムアッシュ搬送装置の一実施形態について説明する。なお、以下の図面において、各部材を認識可能な大きさとするために、各部材の縮尺を適宜変更している。
【００１８】
図１（ａ）は、本実施形態のボトムアッシュ搬送装置１の概略構成を示す全体図である。この図に示すように、本実施形態のボトムアッシュ搬送装置１は、水封式ベルトコンベヤ２と、クリンカ除去板３（クリンカ除去機構）と、冷却部４と、水供給部５と、振動付与装置６とを備えている。
【００１９】
水封式ベルトコンベヤ２は、不図示のボイラの底部の下方に配置されており、ボイラから排出されて落下するボトムアッシュＢを受けると共に搬送する。この水封式ベルトコンベヤ２は、水路と水中に配置された搬送ベルトとを有しており、不図示の駆動部により搬送ベルトを移動させることで、図１の垂直方向にボトムアッシュＢを搬送する。
【００２０】
クリンカ除去板３は、水封式ベルトコンベヤ２の上方に配置されており、水封式ベルトコンベヤ２とボイラとの間に配置されている。図１（ｂ）は、クリンカ除去板３の平面図である。この図に示すように、クリンカ除去板３は、平行に配列されると共にクリンカＣを受け止める複数の櫛歯３ａと、櫛歯３ａ同士の間に設けられボトムアッシュＢを通過させる隙間３ｂとを有する櫛状の板部材からなる。このようなクリンカ除去板３の櫛歯３ａ同士の間隔すなわち隙間３ｂの幅は、ボイラによって発生することが想定されるクリンカの粒径に基づいて設定されている。
【００２１】
このクリンカ除去板３は、例えば、ステンレス鋼によって形成されている。また、クリンカ除去板３は、図１（ａ）に示すように、櫛歯３ａの先端３ｃが冷却部４の後述する冷却槽４ａのクリンカ入口４ａ１側に向けて配置されており、さらに当該先端３ｃが斜め下方を向くように傾斜されている。
【００２２】
このようなクリンカ除去板３は、上方から落下してくるボトムアッシュＢを隙間３ｂによって通過させ、かつ、ボトムアッシュＢに混ざって落下するクリンカＣを櫛歯３ａによって受け止め、受け止めたクリンカＣを冷却部４に案内する。
【００２３】
冷却部４は、冷却槽４ａと、ロックシステム４ｂと、散水システム４ｃとを備えている。冷却槽４ａは、底部に冷却水を貯留する容器であり、水面上にクリンカ入口４ａ１と、クリンカ取出口４ａ２とを有している。また、冷却槽４ａは、クリンカ入口４ａ１に設けられる開閉扉４ａ３と、クリンカ取出口４ａ２に設けられる開閉扉４ａ４とを備えている。開閉扉４ａ３は、押圧されることにより容易に開放されるように吊り下げ支持されており、押圧されていない状態においてはクリンカ入口４ａ１を閉鎖する。開閉扉４ａ４は、作業者によって持ち上げられることにより開放される扉であり、作業者によって持ち上げられていない状態においてはクリンカ取出口４ａ２を閉鎖する。
【００２４】
ロックシステム４ｂは、ロック４ｂ１と、温度計４ｂ２と、ロック制御部４ｂ３とを備えている。ロック４ｂ１は、ロック制御部４ｂ３の制御の下、開閉扉４ａ４のロックを行う。温度計４ｂ２は、冷却槽４ａ内の温度を計測してその計測結果を出力する。ロック制御部４ｂ３は、温度計４ｂ２から入力される計測結果が示す温度が一定の温度を超え、冷却槽４ａに高温状態のクリンカＣが存在することを示す温度となっている場合に、ロック４ｂ１に開閉扉４ａ４をロックさせる。このようなロックシステム４ｂによれば、高温状態のクリンカＣが冷却されるまでの間（すなわちクリンカＣの冷却中）において、開閉扉４ａ４をロックし、作業者が冷却槽４ａを開けることを防止することができる。
【００２５】
散水システム４ｃは、散水ノズル４ｃ１と、散水制御弁４ｃ２と、負荷検知部４ｃ３とを備えている。散水ノズル４ｃ１は、冷却槽４ａの天井に複数設けられており、供給される水Ｗを冷却槽４ａ内部に噴出する。散水制御弁４ｃ２は、散水ノズル４ｃ１の上流に配置されており、負荷検知部４ｃ３の制御の下、散水ノズル４ｃ１へ水Ｗを供給する流路の開閉を行う。負荷検知部４ｃ３は、クリンカ除去板３に係る荷重を検出し、この荷重が一定値を超えてクリンカ除去板３にクリンカＣが当たったことを示すものとなった場合に、散水制御弁４ｃ２を開放する。
【００２６】
このような散水システム４ｃは、クリンカ除去板３にクリンカＣが当たったことを負荷検知部４ｃ３で検知したときに、散水ノズル４ｃ１から散水することで、冷却槽４ａの天井から散水を行う。
【００２７】
水供給部５は、クリンカ除去板３のクリンカＣの受面（すなわち上面）に対して水Ｗを流すものである。この水供給部５は、図１（ａ）に示すように、傾斜されたクリンカ除去板３の上方側に位置する端部の上方に配置された散水ノズル５ａを有している。水供給部５は、散水ノズル５ａから常に水Ｗを噴出することにより、クリンカ除去板３のクリンカＣの受面に対して常に水を流す。
【００２８】
振動付与装置６は、クリンカ除去板３と接続されており、クリンカ除去板３に対して常に振動を付与する。この振動の振幅及び周波数は、クリンカ除去板３にボトムアッシュＢが付着することを抑制するように設定される。
【００２９】
このような構成のボトムアッシュ搬送装置１では、ボイラから排出された落下するボトムアッシュＢは、クリンカ除去板３の隙間３ｂを通過し、水封式ベルトコンベヤ２に落下する。水封式ベルトコンベヤ２に落下したボトムアッシュＢは、水封式ベルトコンベヤ２によって搬送される。ここで、クリンカ除去板３の上面には水供給部５から供給された水が流れ、さらにクリンカ除去板３は振動付与装置６により振動が付与されている。このため、クリンカ除去板３上に落下したボトムアッシュＢは、水の流れあるいは振動によってクリンカ除去板３から落ちて水封式ベルトコンベヤ２に落下する。
【００３０】
一方、ボトムアッシュＢに混ざって落下するクリンカＣは、クリンカ除去板３の櫛歯３ａに受け止められ、冷却槽４ａのクリンカ入口４ａ１に向けて傾斜するクリンカ除去板３に沿って移動し、クリンカ入口４ａ１を通って冷却槽４ａに入る。冷却槽４ａに入ったクリンカＣは、冷却槽４ａで貯留された水によって冷却される。
【００３１】
また、クリンカＣがクリンカ除去板３に当たると、そのときの荷重が負荷検知部４ｃ３によって検知され、散水制御弁４ｃ２が開放されて、散水ノズル４ｃ１を介して水Ｗが冷却槽４ａに噴出される。このため、冷却槽４ａに入ったクリンカＣは、散水によっても冷却される。
【００３２】
また、クリンカＣが冷却槽４ａに入ると冷却槽４ａ内の温度が上昇し、ロックシステム４ｂによって開閉扉４ａ４がロックされる。クリンカＣが冷却され、冷却槽４ａ内の温度が低下すると、開閉扉４ａ４のロックが解除され、作業者によってクリンカＣが取り出される。
【００３３】
以上のような本実施形態のボトムアッシュ搬送装置１によれば、水封式ベルトコンベヤ２の上方に配置されるクリンカ除去板３が、ボトムアッシュＢを通過させかつボトムアッシュＢに混ざって落下するクリンカＣを受け止める。このため、水封式ベルトコンベヤ２に落下する前にボトムアッシュＢからクリンカＣを分離除去することが可能となる。よって、作業者によるボトムアッシュＢからのクリンカＣの分離除去作業をなくし、クリンカＣによる水封式ベルトコンベヤ２の損傷や停止を防止することができる。したがって、本実施形態のボトムアッシュ搬送装置１によれば、クリンカＣを原因とする作業負担の増加及びコンベヤの不具合を防止することが可能となる。
【００３４】
また、本実施形態のボトムアッシュ搬送装置１においては、クリンカ除去板３が、平行に配列されると共にクリンカＣを受け止める複数の櫛歯３ａと、櫛歯３ａ同士の間に設けられボトムアッシュＢを通過させる隙間３ｂとを有する櫛状の板部材からなる。このため、本実施形態のボトムアッシュ搬送装置１によれば、簡易な構造でクリンカＣをボトムアッシュＢから分離除去することができる。
【００３５】
また、本実施形態のボトムアッシュ搬送装置１においては、クリンカ除去板３により受け止められたクリンカＣが供給されると共にクリンカＣの冷却を行う冷却部４を備える。このため、本実施形態のボトムアッシュ搬送装置１によれば、クリンカＣを強制冷却することができ、短時間でクリンカＣを取り出すことが可能となる。
【００３６】
また、本実施形態のボトムアッシュ搬送装置１においては、冷却部４が、冷却水が貯留された冷却槽４ａと、冷却槽４ａの天井部から散水を行う散水システム４ｃとを備える。このため、本実施形態のボトムアッシュ搬送装置１によれば、クリンカＣを冷却槽４ａに貯留された冷却水と上方からの散水との両方によって冷却することができ、より短時間でクリンカＣを冷却することができる。
【００３７】
また、本実施形態のボトムアッシュ搬送装置１においては、作業者によって開閉される開閉扉４ａ４と、クリンカＣの冷却中に開閉扉４ａ４をロックするロックシステム４ｂとを備える。このような本実施形態のボトムアッシュ搬送装置１によれば、作業者が誤って高温のクリンカＣに触れることを確実に防止することが可能となる。
【００３８】
また、本実施形態のボトムアッシュ搬送装置１においては、クリンカ除去板３のクリンカＣの受面に対して水を流す水供給部５を備える。また、本実施形態のボトムアッシュ搬送装置１においては、クリンカ除去板３を振動させる振動付与装置６を備える。このような本実施形態のボトムアッシュ搬送装置１によれば、クリンカ除去板３に対してボトムアッシュＢが付着することを抑制することができる。
【００３９】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の趣旨から逸脱しない範囲において設計要求等に基づき種々変更可能である。
【００４０】
例えば、上記実施形態に対して、クリンカクラッシャを設けて冷却後のクリンカＣを粉砕し、これによって生成されたクリンカアッシュを水封式ベルトコンベアに戻すようにしても良い。
【００４１】
また、例えば、図２に示すように、クリンカ除去板３に対して複数の貫通孔３ｄを設けるようにしても良い。これによって、ボトムアッシュＢがクリンカ除去板３に付着することをより確実に防止することができる。
【符号の説明】
【００４２】
１……ボトムアッシュ搬送装置、２……水封式ベルトコンベヤ、３……クリンカ除去板（クリンカ除去機構）、３ａ……櫛歯、３ｂ……隙間、３ｃ……先端、３ｄ……貫通孔、４……冷却部、４ａ……冷却槽、４ａ１……クリンカ入口、４ａ２……クリンカ取出口、４ａ３……開閉扉、４ａ４……開閉扉、４ｂ……ロックシステム、４ｂ１……ロック、４ｂ２……温度計、４ｂ３……ロック制御部、４ｃ……散水システム、４ｃ１……散水ノズル、４ｃ２……散水制御弁、４ｃ３……負荷検知部、５……水供給部、５ａ……散水ノズル、６……振動付与装置、Ｂ……ボトムアッシュ、Ｃ……クリンカ、Ｗ……水
【図１】
2015148401.tif 000003
【図２】
2015148401.tif 000004